(57)【特許請求の範囲】
【請求項１】
指示物によりタッチするための目標区域の外側に設けられ、発光素子と該発光素子から出射される光の反射光を受光する受光素子とを有する光学ユニットと、
前記目標区域の外側に設けられ、前記発光素子から出射される光を反射する再帰性反射体と
を備え、
前記再帰性反射体は、入射角に対する反射特性が異なる第１再帰性反射シート及び第２再帰性反射シートを組み合わせてあり、
前記第１再帰性反射シートは、所定の角度より小さい入射角度の光に対する光再帰性反射特性が前記第２再帰性反射シートより高く、
前記第２再帰性反射シートは、前記所定の角度より大きい入射角度の光に対する光再帰性反射特性が前記第１再帰性反射シートより高く、
前記第１再帰性反射シートと前記第２再帰性反射シートとの境界は、前記第１再帰性反射シートが前記第２再帰性反射シートより前記目標区域側になる様に重ねて配置してある
ことを特徴とする光走査型タッチパネル。
【請求項２】
指示物によりタッチするための目標区域の外側に設けられ、発光素子と該発光素子から出射される光の反射光を受光する受光素子とを有する光学ユニットと、
前記目標区域の外側に設けられ、前記発光素子から出射される光を反射する再帰性反射体と
を備え、
前記再帰性反射体は、入射角に対する反射特性が異なる第１再帰性反射シート及び第２再帰性反射シートを組み合わせてあり、
前記第１再帰性反射シートは、所定の角度より小さい入射角度の光に対する光再帰性反射特性が前記第２再帰性反射シートより高く、
前記第２再帰性反射シートは、前記所定の角度より大きい入射角度の光に対する光再帰性反射特性が前記第１再帰性反射シートより高く、
前記第１再帰性反射シートと前記第２再帰性反射シートとの境界は、前記第１再帰性反射シートの端部と前記第２再帰性反射シートの端部とが接する様に配置してある
ことを特徴とする光走査型タッチパネル。
【発明の詳細な説明】
【技術分野】
【０００１】
本発明は、表示画面上での指示物の位置を光学的に検出する光走査型タッチパネルに関する。
【背景技術】
【０００２】
主としてパーソナルコンピュータ等のコンピュータシステムの普及に伴って、コンピュータシステムにより情報が表示される表示装置の表示画面上を人の指または特定の指示物により指示することにより、新たな情報を入力したり、コンピュータシステムに対して種々の指示を与えたりする装置が利用されている。
【０００３】
パーソナルコンピュータ等の表示装置の表示画面に表示された情報に対してタッチ方式にて入力操作を行う場合には、その表示画面上での接触位置（指示位置）を高精度に検出する必要がある。このような座標面となる表示画面上の指示位置を検出する方法の一例として、光学的な位置検出方法が、特開昭６２−５４２８号公報等に提案されている。この方法は、表示画面の両側枠に光再帰性反射体を配置し、角度走査したレーザ光線のこの光再帰性反射体からの反射光を検知し、指またはペンによって光線が遮断されるタイミングから指またはペンの存在角度を求め、求めた角度から三角測量の原理にて位置座標を検出する。この方法では、部品点数が少なくて検出精度を維持でき、指，任意のペン等の位置も検出できる。
【０００４】
このような走査光により位置検出を行う光走査型タッチパネルは、一般的に表示画面の外側に設けられた光再帰性反射体と、レーザ光等の光を出射する発光素子、出射された光を角度走査するポリゴンミラー等の光走査部、及び、その走査光の光再帰性反射体による反射光を受光する受光素子を含む複数の光学ユニットとを備えており、各光学ユニットにおいて、発光素子からの光を光走査部にて走査させ、その走査光の光再帰性反射体での反射光を再び光走査部で反射させ、その反射光を受光素子に受光させる構成を有している。その走査光の経路に指，任意のペン等の指示物が存在する場合には、光再帰性反射体での反射光が受光素子に受光されない。そこで、各光学ユニットにおける光走査部の走査角度及び受光素子での受光結果に基づいて、それらの指示物の位置を検出することができる。
【特許文献１】特開平１１−０８５３７７号公報
【特許文献２】特開平０５−０４５５０７号公報
【発明の開示】
【発明が解決しようとする課題】
【０００５】
このような光走査型タッチパネルにあっては、光再帰性反射体の光再帰性反射特性が指示物の位置検出のＳ／Ｎ比に大きな影響を与えるが、この光再帰性反射特性は光の入射角に応じて変化する。よって、１種類の光再帰性反射特性を有する光再帰性反射体を用いている従来の光走査型タッチパネルでは、走査光の入射角によって光再帰性反射特性が悪くなることがあり、指示物の位置検出のＳ／Ｎ比が低くなるという問題がある。
【０００６】
本発明は斯かる事情に鑑みてなされたものであり、光再帰性反射特性が異なる複数の光再帰性反射体を設けることにより、指示物の位置検出のＳ／Ｎ比を向上できる光走査型タッチパネルを提供することを目的とする。
【０００７】
本発明の他の目的は、走査光の入射角が略０度になるように光再帰性反射体を構成することにより、指示物の位置検出のＳ／Ｎ比を向上できる光走査型タッチパネルを提供することにある。
【０００８】
本発明の更に他の目的は、光再帰性反射体を保護する保護材を設けることにより、水分，粉塵等による光再帰性反射特性の劣化を防止できて、指示物の位置検出のＳ／Ｎ比を向上できる光走査型タッチパネルを提供することにある。
【課題を解決するための手段】
【０００９】
本願に記載の光走査型タッチパネルは、所定領域の外側に設けた光再帰性反射体と、前記所定領域と実質的に平行である面内で光を角度走査する光走査部及び該光走査部による走査光の前記光再帰性反射体での反射光を受光する受光部を有する複数の光学ユニットとを備え、前記所定領域に指示物で形成される走査光の遮断位置を走査角度に対応した前記受光部の受光出力に基づいて検出する光走査型タッチパネルにおいて、前記光再帰性反射体は、光再帰性反射特性が異なる複数の光再帰性反射体を組み合わせて構成してあることを特徴とする。
【００１０】
本願に記載の光走査型タッチパネルにあっては、光再帰性反射特性が異なる複数の光再帰性反射体を組み合わせており、例えば、光走査において入射角が小さい領域には入射角が小さい場合に最も強い光再帰性反射特性を有する光再帰性反射体を設け、光走査において入射角が大きい領域には入射角が大きい場合に最も強い光再帰性反射特性を有する光再帰性反射体を設けている。よって、入射角に応じて最適な光再帰性反射特性を有することができ、指示物の位置検出のＳ／Ｎ比の向上を図れる。
【００１１】
本願に記載の光走査型タッチパネルは、所定領域の外側に設けた光再帰性反射体と、前記所定領域と実質的に平行である面内で光を角度走査する光走査部及び該光走査部による走査光の前記光再帰性反射体での反射光を受光する受光部を有する複数の光学ユニットとを備え、前記所定領域に指示物で形成される走査光の遮断位置を走査角度に対応した前記受光部の受光出力に基づいて検出する光走査型タッチパネルにおいて、前記光再帰性反射体の一部は、走査光の入射角が実質的に０度になるように、その入射面を傾斜させてあることを特徴とする。
【００１２】
本願に記載の光走査型タッチパネルにあっては、光再帰性反射体への入射角が実質的に０度になるようにしており、光走査において入射角が大きい領域にあっても入射角が小さい場合に最も強い光再帰性反射特性を有する光再帰性反射体を設けて、指示物の位置検出のＳ／Ｎ比の向上を図れる。
【００１３】
本願に記載の光走査型タッチパネルは、前記光再帰性反射体の表面に、前記光再帰性反射体を保護する保護材を設けてあることを特徴とする。
【００１４】
本願に記載の光走査型タッチパネルにあっては、光再帰性反射体を保護する保護材を設けており、光再帰性反射体が水分，粉塵等から保護される。
【００１５】
本願に記載の光走査型タッチパネルは、前記保護材の表面に光反射防止処理を施してあることを特徴とする。
【００１６】
本願に記載の光走査型タッチパネルにあっては、保護材の表面に光反射防止処理を施しており、保護材の表面での反射による光量低下を抑制して、指示物の位置検出のＳ／Ｎ比の向上を図れる。
【００１７】
本願に記載の光走査型タッチパネルは、前記光再帰性反射体への走査光の任意の入射角に対して、前記保護材の光反射防止処理を最適化してあることを特徴とする。
【００１８】
本願に記載の光走査型タッチパネルにあっては、光再帰性反射体での任意の入射角に対して、保護材の光反射防止処理を最適化しており、保護材の表面での反射による光量低下を抑制して、指示物の位置検出のＳ／Ｎ比の向上を図れる。
【００１９】
本願に記載の光走査型タッチパネルは、前記保護材は、走査光の向きを変える偏向機能を有することを特徴とする。
【００２０】
本願に記載の光走査型タッチパネルにあっては、保護材は、走査光の向きを変える偏向機能を有しており、保護材によって光再帰性反射体に対する入射角を調整して、指示物の位置検出のＳ／Ｎ比の向上を図れる。
【発明の効果】
【００２１】
本発明では、光再帰性反射特性が異なる複数の光再帰性反射体を組み合わせるようにしたので、入射角に応じて最適な光再帰性反射特性を有することができ、指示物の位置検出のＳ／Ｎ比の向上を図ることが可能である。
【００２２】
また、光走査における入射角が大きい領域において光再帰性反射体への入射角が実質的に０度になるようにしたので、本来は入射角が大きい領域にあっても入射角が小さい場合に最も強い光再帰性反射特性を有する光再帰性反射体を設けることができ、指示物の位置検出のＳ／Ｎ比の向上を図ることが可能である。
【００２３】
また、光再帰性反射体を保護する保護材を設けるようにしたので、光再帰性反射体を水分，粉塵等から保護することが可能である。
【００２４】
また、保護材の表面に光反射防止処理を施すようにしたので、保護材の表面での反射による光量低下を抑制して、指示物の位置検出のＳ／Ｎ比の向上を図ることが可能である。
【００２５】
また、光再帰性反射体での任意の入射角に対して、保護材の光反射防止処理を最適化するようにしたので、保護材の表面での反射による光量低下を抑制して、指示物の位置検出のＳ／Ｎ比の向上を図ることが可能である。
【００２６】
また、保護材が、光の向きを変える偏向機能を有するようにしたので、保護材によって光再帰性反射体に対する入射角を調整して、指示物の位置検出のＳ／Ｎ比の向上を図ることが可能である。
【発明を実施するための最良の形態】
【００２７】
以下、本発明をその実施の形態を示す図面を参照して具体的に説明する。図１は、本発明の光走査型タッチパネルの基本構成を示す模式図である。
【００２８】
図１において参照符号１０は、パーソナルコンピュータ等の電子機器におけるＣＲＴまたはフラットディスプレイパネル（ＰＤＰ，ＬＣＤ，ＥＬ等），投射型映像表示装置等の矩形状の表示画面であり、本実施の形態ではＰＤＰ（プラズマディスプレイ）の表示画面として構成されている。
【００２９】
例えば指，ペン等である指示物Ｓによりタッチするための目標区域として規定された平面の範囲であるこの長方形の表示画面１０の一つの短辺（本実施の形態では右側の辺）の両隅の外側には、発光素子，受光素子，ポリゴンミラー，各種のレンズ等を含む光学系を内部に有する光学ユニット１ａ，１ｂがそれぞれ設けられている。
【００３０】
また、表示画面１０の右側の辺を除く３辺、つまり、上下両側の辺及び左側の辺の外側には光再帰性反射体としての再帰性反射シート７が、筐体８に固定された態様で設けられている。本発明では、この再帰性反射シート７は、光再帰性反射特性が異なる２種類の再帰性反射シート７ａ，７ｂを組み合わせて構成されている。入射角が小さくなる領域（左側の辺の全域及び上下両側の辺の光学ユニット１ａ，１ｂに近い右側の領域）には、入射角が小さい場合に最も強い光再帰性反射特性を有する低入射角用の再帰性反射シート７ａが設けられ、入射角が大きくなる領域（上下両側の辺の光学ユニット１ａ，１ｂから遠い左側の領域）には、入射角が大きい場合に最も強い光再帰性反射特性を有する高入射角用の再帰性反射シート７ｂが設けられている。これらの再帰性反射シート７ａ，７ｂの詳細については後述する。
【００３１】
図２は、光学ユニット１ａ，１ｂにおける光学系の構成及び光路を示す斜視図である。両光学ユニット１ａ，１ｂは同じ光学系を有している。光学ユニット１ａ，１ｂは、赤外線レーザ光を出射するレーザダイオード（ＬＤ）からなる発光素子１１と、発光素子１１からのレーザ光を平行光にするためのコリメーションレンズ１２と、再帰性反射シート７（７ａ，７ｂ）からの反射光を受光するフォトダイオード（ＰＤ）からなる受光素子１３と、受光素子１３への入射光を制限するためのスリット１４ａを有するスリット板１４と、発光素子１１からのレーザ光を角度走査するための例えば４角柱状のポリゴンミラー１５と、アパーチャ１６ａによりコリメーションレンズ１２からポリゴンミラー１５への投射光を制限すると共に、ポリゴンミラー１５を介した再帰性反射シート７（７ａ，７ｂ）からの反射光を受光素子１３側へ反射するアパーチャミラー１６と、アパーチャミラー１６での反射光を集束させるための集光レンズ１７と、ポリゴンミラー１５を回転させるモータ１８と、これらの各光学部材を取付け固定するための光学ユニット本体１９とを備える。
【００３２】
発光素子１１から出射されたレーザ光は、コリメーションレンズ１２にて平行光にされ、アパーチャミラー１６のアパーチャ１６ａを通過した後、ポリゴンミラー１５の回転によって表示画面１０と実質的に平行である面内を角度走査されて再帰性反射シート７（７ａ，７ｂ）に投射される。そして、再帰性反射シート７（７ａ，７ｂ）からの反射光が、ポリゴンミラー１５及びアパーチャミラー１６にて反射された後、集光レンズ１７で集束されてスリット板１４のスリット１４ａを通って、受光素子１３に入射される。但し、走査光の経路に指示物Ｓが存在する場合には投射光が遮断されるため、反射光が受光素子１３に入射されることはない。
【００３３】
各光学ユニット１ａ，１ｂには、各発光素子１１を駆動する発光素子駆動回路２ａ，２ｂと、各受光素子１３の受光量を電気信号に変換する受光信号検出回路３ａ，３ｂと、各ポリゴンミラー１５の動作を制御して各光学ユニット１ａ，１ｂにおける光走査開始を同期させる走査同期制御回路４とが接続されている。また、参照符号５は指示物Ｓの位置，大きさを算出すると共に、装置全体の動作を制御するＭＰＵであり、６はＭＰＵ５での算出結果等を表示する表示装置である。
【００３４】
ＭＰＵ５は、発光素子駆動回路２ａ，２ｂに駆動制御信号を送り、その駆動制御信号に応じて発光素子駆動回路２ａ，２ｂが駆動されて、各発光素子１１の発光動作が制御される。受光信号検出回路３ａ，３ｂは、各受光素子１３での受光信号をＭＰＵ５へ送る。ＭＰＵ５は、各受光素子１３からの受光信号に基づいて、指示物Ｓの位置，大きさを算出し、その算出結果を表示装置６に表示する。なお、表示装置６は表示画面１０を兼用することも可能である。
【００３５】
このような本発明の光走査型タッチパネルにおいては、図１に示されているように、例えば光学ユニット１ｂに関して説明すると、光学ユニット１ｂからの投射光は、受光素子１３に入射する位置から図１上で反時計方向回りに走査され、再帰性反射シート７（７ａ）の先端部分で反射される位置（Ｐｓ）に至って実質的な走査開始位置になる。そして、指示物Ｓの一端に至る位置（Ｐ１）までは再帰性反射シート７（７ａ）により反射されるが、指示物Ｓの他端に至る位置（Ｐ２）までの間は指示物Ｓによって遮断され、その後の走査終了位置（Ｐｅ）に至るまでは再帰性反射シート７（７ａ，７ｂ）により反射される。
【００３６】
次に、本発明の特徴部分をなす再帰性反射シート７について説明する。図３は、本発明の光走査型タッチパネルの主要部の構成を示す模式図である。再帰性反射シート７は、前述したように、低入射角用の再帰性反射シート７ａと高入射角用の再帰性反射シート７ｂとで構成されており、図３に示すように、入射角が０度から３０度の領域には低入射角用の再帰性反射シート７ａが設けられ、入射角が３０度を超える（最大６０度）の領域には高入射角用の再帰性反射シート７ｂが設けられている。
【００３７】
図４は、両再帰性反射シート７ａ，７ｂにおける光再帰性反射特性を示すグラフである。図４において、横軸は入射角（度）、縦軸は反射光糧（μＷ）を表しており、●−●は低入射角用の再帰性反射シート７ａの光再帰性反射特性、○−○は高入射角用の再帰性反射シート７ｂの光再帰性反射特性を示している。図４から、低入射角用の再帰性反射シート７ａは入射角が増加するにつれて光再帰性反射特性が低下し、高入射角用の再帰性反射シート７ｂは入射角が５０度程度まで増加するにつれて光再帰性反射特性が上昇し、入射角が約３０度である場合に、両再帰性反射シート７ａ，７ｂの光再帰性反射特性が一致することが分かる。よって、図３に示すように、入射角が０度から３０度までの領域では低入射角用の再帰性反射シート７ａを使用し、入射角が３０度より大きい領域では高入射角用の再帰性反射シート７ｂを使用することにより、指示物Ｓの位置検出のＳ／Ｎ比を向上することが可能である。
【００３８】
図５は、両再帰性反射シート７ａ，７ｂの境界部分の拡大図である。この境界部分では、光走査順序が早い方の再帰性反射シート７ａが遅い方の再帰性反射シート７ｂの上方になるように両再帰性反射シート７ａ，７ｂが重なり合っている。よって、境界部分で両再帰性反射シート７ａ，７ｂを重ね合わせているので、この境界部分において反射光を検出できなくなる事態を防止できる。このような境界部分の構成は、走査光のビームサイズが小さい場合には特に必要である。なお、境界部分で隣合う再帰性反射シート７ａ，７ｂの間に空隙が生じないようにしておけば良く、図６に示すように両再帰性反射シート７ａ，７ｂが接するような境界部分の構成であっても良い。
【００３９】
なお、上述した例では、光再帰性反射特性が異なる２種類の再帰性反射シート７ａ，７ｂの組合せにて光再帰性反射体を構成したが、光再帰性反射特性が異なる３種類以上の再帰性反射シートを組み合わせて光再帰性反射体を構成しても良いことは勿論である。
【００４０】
図７，図８は、本発明の他の光走査型タッチパネルの主要部の構成を示す模式図，断面図である。図７，図８において、図３，図５と同一部分には同一番号を付している。この例では、筐体８の溝８ａにガイドされ、再帰性反射シート７（７ａ，７ｂ）を覆うように、フッ素テフロン（登録商標）系樹脂からなる保護カバー２１が設けられている。
【００４１】
このような保護カバー２１を設けることにより、再帰性反射シート７（７ａ，７ｂ）が水分，粉塵等に対して保護されるので、水分，粉塵等の付着による再帰性反射シート７（７ａ，７ｂ）の特性の劣化を防止することが可能である。
【００４２】
このような保護カバー２１をほとんど全ての光が通過して再帰性反射シート７（７ａ，７ｂ）から十分な光量の反射光が得られるように、保護カバー２１の表面には反射防止処理を施しておくことが好ましい。図９は、この反射防止処理を示す断面図であり、例えば、再帰性反射シート７（７ａ，７ｂ）の光入射面に反射防止膜２２が形成されている。このような反射防止処理を施しておくことにより、走査光の保護カバー２１表面での反射を防止でき、その反射に伴う再帰性反射シート７（７ａ，７ｂ）での反射光のレベル低下を抑制でき、Ｓ／Ｎ比の向上につながる。
【００４３】
このような反射防止処理（反射防止膜２２の形成）にあって、反射防止膜２２での走査光の光路長がλ／４（λ：走査光の波長）になるように反射防止膜２２の膜厚を制御することにより、任意の入射角に対して反射防止特性を最適に設定することができる。よって、Ｓ／Ｎ比が低い（反射光量が少ない）入射角に対する反射防止特性が最適化するように、例えば図４に示すような特性を有する低入射角用の再帰性反射シート７ａを使用する場合にその反射光量が少なくなる１５〜３０度の入射角の範囲で反射防止特性の最適化を図るようにした場合、その入射角での指示物Ｓの位置検出のＳ／Ｎ比を向上することが可能である。
【００４４】
図１０は、本発明の更に他の光走査型タッチパネルの主要部の構成を示す模式図、図１１は、図１０の部分拡大図である。図１０，図１１において、図７，図８と同一部分には同一番号を付している。この例では、走査光の入射角が大きくなる（３０度を超える）領域にあっては、入射角が略０度になるように傾斜させて複数の低入射角用の再帰性反射シート７ａを設けている。これらの各再帰性反射シート７ａは、５〜６ｍｍ程度のピッチで列状に配設された各支持材２３で固定されている。なお、入射角が小さい（３０度以下）領域における構成は、図７，図８に示した例と同じである。
【００４５】
このような例では、本来であれば入射角が大きくなるような領域においても、再帰性反射シート７（７ａ）への入射角を略０度にでき、指示物Ｓの位置検出のＳ／Ｎ比を向上することが可能である。
【００４６】
図１２は、本発明の更に他の光走査型タッチパネルの主要部の構成を示す模式図、図１３は、図１２の部分拡大断面図である。図１２，図１３において、図７，図８と同一部分には同一番号を付している。この例では、光再帰性反射体としてすべての領域において低入射角用の再帰性反射シート７ａが設けられており、入射角が大きくなる（３０度を超える）領域にあって、低入射角用の再帰性反射シート７ａの上面を、光の偏向機能を有する偏向機能付き保護カバー２４で覆っている。この偏向機能付き保護カバー２４は、例えばプリズムシートを使用できる。なお、入射角が小さい（３０度以下）領域における構成は、図７，図８に示した例と同じである。
【００４７】
このように構成した場合には、本来であれば入射角が大きくなるような領域においても、図１３に示すように偏向機能付き保護カバー２４によって、再帰性反射シート７（７ａ）への入射角を略０度にでき、指示物Ｓの位置検出のＳ／Ｎ比を向上することが可能である。
【００４８】
最後に、本発明の光走査型タッチパネルによる指示物Ｓの位置，大きさの算出動作について説明する。図１４は、光走査型タッチパネルの実施状態を示す模式図である。但し、図１４では光学ユニット１ａ，１ｂ、再帰性反射シート７（７ａ，７ｂ），表示画面１０以外の構成部材は図示を省略している。また、指示物Ｓとして指を用いた場合を示している。
【００４９】
ＭＰＵ５はポリゴン制御回路４を制御することにより、光学ユニット１ａ，１ｂ内の各ポリゴンミラー１５を回転させて、各発光素子１１からのレーザ光を角度走査する。この結果、再帰性反射シート７からの反射光が各受光素子１３に入射する。このようにして各受光素子１３に入射した光の受光量は受光信号検出回路３ａ，３ｂの出力である受光信号として得られる。
【００５０】
なお、図１４において、θ00，φ00は走査基準線から各受光素子までの角度を、θ０，φ０は走査基準線から再帰性反射シート７（７ａ，７ｂ）の端部までの角度を、θ１，φ１は走査基準線から指示物Ｓの基準線側端部までの角度を、θ２，φ２は走査基準線から指示物Ｓの基準線と逆側端部までの角度をそれぞれ示している。
【００５１】
表示画面１０上の走査光の光路に指示物Ｓが存在する場合には、光学ユニット１ａ，１ｂから投射された光の指示物Ｓからの反射光は各受光素子１３に入射されない。従って、図１４に示されているような状態では，走査角度が０°からθ０までの間では光学ユニット１ａ内の受光素子１３には反射光は入射されず、走査角度がθ０からθ１までの間ではその受光素子１３に反射光が入射され、走査角度がθ１からθ２までの間ではその受光素子１３に反射光が入射されない。同様に、走査角度が０°からφ０までの間では光学ユニット１ｂ内の受光素子１３には反射光は入射されず、走査角度がφ０からφ１までの間ではその受光素子１３に反射光が入射され、走査角度がφ１からφ２までの間ではその受光素子１３に反射光が入射されない。
【００５２】
次に、このようにして求めた遮断範囲から、指示物Ｓ（本例では指）の中心位置（指示位置）の座標を求める処理について説明する。まず、三角測量に基づく角度から直交座標への変換を説明する。図１５に示すように、光学ユニット１ａの位置を原点Ｏ、表示画面１０の右辺，上辺をＸ軸，Ｙ軸に設定し、基準線の長さ（光学ユニット１ａ，１ｂ間の距離）をＬとする。また、光学ユニット１ｂの位置をＢとする。表示画面１０上の指示物Ｓが指示した中心点Ｐ（Ｐｘ，Ｐｙ）が、光学ユニット１ａ，１ｂからＸ軸に対してθ，φの角度でそれぞれ位置している場合、点ＰのＸ座標Ｐｘ，Ｙ座標Ｐｙの値は、三角測量の原理により、それぞれ以下の（１），（２）式のように求めることができる。
Ｐｘ（θ，φ）＝（ｔａｎφ）÷（ｔａｎθ＋ｔａｎφ）×Ｌ            …（１）
Ｐｙ（θ，φ）＝（ｔａｎθ・ｔａｎφ）÷（ｔａｎθ＋ｔａｎφ）×Ｌ  …（２）
【００５３】
ところで、指示物Ｓ（指）には大きさがあるので、検出した受光信号の立ち上がり／立ち下がりのタイミングでの検出角度を採用した場合、図１６に示すように、指示物Ｓ（指）のエッジ部の４点（図１６のＰ１〜Ｐ４）を検出することになる。これらの４点は何れも指示した中心点（図１６のＰｃ）とは異なっている。そこで、以下のようにして 中心点Ｐｃの座標（Ｐｃｘ，Ｐｃｙ）を求める。Ｐｃｘ，Ｐｃｙは、それぞれ以下の（３），（４）式のように表せる。
Ｐｃｘ（θ，φ）＝Ｐｃｘ（θ１＋ｄθ／２，φ１＋ｄφ／２）  …（３）
Ｐｃｙ（θ，φ）＝Ｐｃｙ（θ１＋ｄθ／２，φ１＋ｄφ／２）  …（４）
【００５４】
そこで、（３），（４）式で表されるθ１＋ｄθ／２，φ１＋ｄφ／２を上記（１），（２）式のθ，φとして代入することにより、指示された中心点Ｐｃの座標を求めることができる。
【００５５】
なお、上述した例では、最初に角度の平均値を求め、その角度の平均値を三角測量の変換式（１），（２）に代入して、指示位置である中心点Ｐｃの座標を求めるようにしたが、最初に三角測量の変換式（１），（２）に従って走査角度から４点Ｐ１〜Ｐ４の直交座標を求め、求めた４点の座標値の平均を算出して、中心点Ｐｃの座標を求めるようにすることも可能である。また、視差、及び、指示位置の見易さを考慮して、指示位置である中心点Ｐｃの座標を決定することも可能である。
【００５６】
ところで、各ポリゴンミラー１５の走査角速度が一定である場合には、時間を計時することにより走査角度の情報を得ることができる。図１７は、受光信号検出回路３ａからの受光信号と、光学ユニット１ａ内のポリゴンミラー１５の走査角度θ及び走査時間Ｔとの関係を示すタイミングチャートである。ポリゴンミラー１５の走査角速度が一定である場合、その走査角速度をωとすると、走査角度θ及び走査時間Ｔには、下記（５）式に示すような比例関係が成り立つ。
θ＝ω×Ｔ  …（５）
【００５７】
よって、受光信号の立ち下がり，立ち上がり時の角度θ１，θ２は、それぞれの走査時間ｔ１，ｔ２と下記（６），（７）式の関係が成り立つ。
θ１＝ω×ｔ１  …（６）
θ２＝ω×ｔ２  …（７）
【００５８】
従って、ポリゴンミラー１５の走査角速度が一定である場合には、時間情報を用いて、指示物Ｓ（指）の遮断範囲及び座標位置を計測することが可能である。
【００５９】
また、本発明の光走査型タッチパネルでは、計測した遮断範囲から指示物Ｓ（指）の大きさ（断面長）を求めることも可能である。図１８は、この断面長計測の原理を示す模式図である。図１８において、Ｄ１，Ｄ２はそれぞれ光学ユニット１ａ，１ｂから見た指示物Ｓの断面長である。まず、光学ユニット１ａ，１ｂの位置Ｏ（０，０），Ｂ（Ｌ，０）から指示物Ｓの中心点Ｐｃ（Ｐｃｘ，Ｐｃｙ）までの距離ＯＰｃ（ｒ１），ＢＰｃ（ｒ２）が、下記（８），（９）式の如く求められる。
ＯＰｃ＝ｒ１＝（Ｐｃｘ2 ＋Ｐｃｙ2 ）1/2           …（８）
ＢＰｃ＝ｒ２＝｛（Ｌ−Ｐｃｘ）2 ＋Ｐｃｙ2 ｝1/2   …（９）
【００６０】
断面長は距離と遮断角度の正弦値との積で近似できるので、各断面長Ｄ１，Ｄ２は、下記（１０），（１１）式に従って計測可能である。
Ｄ１＝ｒ１・２ｓｉｎｄθ／２＝（Ｐｃｘ2 ＋Ｐｃｙ2 ）1/2 ・２ｓｉｎｄθ／２
…（１０）
Ｄ２＝ｒ２・２ｓｉｎｄφ／２＝｛（Ｌ−Ｐｃｘ）2 Ｐｃｙ2 ｝1/2 ・２ｓｉｎｄφ／２
…（１１）
【００６１】
なお、θ，φ≒０である場合には、ｓｉｎｄθ≒ｄθ≒ｔａｎｄθ，ｓｉｎｄφ≒ｄφ≒ｔａｎｄφと近似できるので、（１０），（１１）式においてｓｉｎｄθ，ｓｉｎｄφの代わりに、ｄθまたはｔａｎｄθ，ｄφまたはｔａｎｄφとしても良い。
【図面の簡単な説明】
【００６２】
【図１】本発明の光走査型タッチパネルの基本構成を示す模式図である。
【図２】光学ユニットにおける光学系の構成及び光路を示す斜視図である
【図３】本発明の光走査型タッチパネルの主要部の構成を示す模式図である。
【図４】２種類の再帰性反射シートの光再帰性反射特性を示すグラフである。
【図５】２種類の再帰性反射シートの境界部分の拡大図である。
【図６】２種類の再帰性反射シートの境界部分の拡大図である。
【図７】本発明の他の光走査型タッチパネルの主要部の構成を示す模式図である。
【図８】本発明の他の光走査型タッチパネルの主要部の構成を示す断面図である。
【図９】保護カバーの反射防止処理を示す断面図である。
【図１０】本発明の更に他の光走査型タッチパネルの主要部の構成を示す模式図である。
【図１１】図１０の部分拡大図である。
【図１２】本発明の更に他の光走査型タッチパネルの主要部の構成を示す模式図である。
【図１３】図１２の部分拡大断面図である。
【図１４】光走査型タッチパネルの実施状態を示す模式図である。
【図１５】座標検出のための三角測量の原理を示す模式図である。
【図１６】指示物及び遮断範囲を示す模式図である。
【図１７】受光信号と走査角度と走査時間との関係を示すタイミングチャートである。
【図１８】断面長計測の原理を示す模式図である。
【符号の説明】
【００６３】
１ａ，１ｂ  光学ユニット
５  ＭＰＵ
７  再帰性反射シート
７ａ  低入射角用の再帰性反射シート
７ｂ  高入射角用の再帰性反射シート
８  筐体
１０  表示画面（座標面）
１１  発光素子
１３  受光素子
１５  ポリゴンミラー
２１  保護カバー
２２  反射防止膜
２３  支持材
２４  偏向機能付き保護カバー
Ｓ  指示物
【図１】
0004454667.tif 000002
【図２】
0004454667.tif 000003
【図３】
0004454667.tif 000004
【図４】
0004454667.tif 000005
【図５】
0004454667.tif 000006
【図６】
0004454667.tif 000007
【図７】
0004454667.tif 000008
【図８】
0004454667.tif 000009
【図９】
0004454667.tif 000010
【図１０】
0004454667.tif 000011
【図１１】
0004454667.tif 000012
【図１２】
0004454667.tif 000013
【図１３】
0004454667.tif 000014
【図１４】
0004454667.tif 000015
【図１５】
0004454667.tif 000016
【図１６】
0004454667.tif 000017
【図１７】
0004454667.tif 000018
【図１８】
0004454667.tif 000019